(57)【要約】【課題】撮影時に撮影者が遠隔操作装置に表示されたライブビュー画像を見続けるのを抑制できる遠隔操作装置、撮像装置、遠隔操作方法及びプログラムを提供することを目的とする。【解決手段】遠隔操作装置１０は、撮影者の操作に応じて撮像装置３０を遠隔操作するための遠隔操作装置１０であって、撮像装置３０により撮像されている画像をライブビュー画像として表示部１２に逐次表示させる表示制御部１６１と、撮影者による撮影指示を検出する検出部１３と、検出部１３により撮影指示が検出されてから所定の待機時間Ｔが経過したときに撮像装置３０により撮像された画像を記録部３６に記録させるための制御信号を撮像装置３０に出力する撮像制御部１６２と、検出部１３により撮影指示が検出されたことに応じて、待機時間Ｔが経過する前に、表示手段１２によるライブビュー画像の表示を禁止する禁止部１８と、を備える。【選択図】図２
2019118014.tif 000002
【特許請求の範囲】
【請求項１】
撮影者の操作に応じて撮像装置を遠隔操作するための遠隔操作装置であって、
前記撮像装置により撮像されている画像をライブビュー画像として表示手段に逐次表示させる表示制御手段と、
前記撮影者による撮影指示を検出する検出手段と、
前記検出手段により撮影指示が検出されてから所定の待機時間が経過したときに前記撮像装置により撮像された画像を記録手段に記録させるための制御信号を前記撮像装置に出力する撮像制御手段と、
前記検出手段により撮影指示が検出されたことに応じて、前記待機時間が経過する前に、前記表示手段による前記ライブビュー画像の表示を禁止する禁止手段と、
を備えることを特徴とする遠隔操作装置。
【請求項２】
前記禁止手段は、前記検出手段により撮影指示が検出されてから、前記待機時間よりも短い所定時間が経過した以後に、前記表示手段による前記ライブビュー画像の表示を禁止することを特徴とする請求項１に記載の遠隔操作装置。
【請求項３】
前記禁止手段は、前記ライブビュー画像に加え、前記表示手段による情報の表示を禁止することを特徴とする請求項１又は請求項２に記載の遠隔操作装置。
【請求項４】
前記禁止手段は、前記表示手段による表示を停止することを特徴とする請求項１又は請求項２に記載の遠隔操作装置。
【請求項５】
前記表示制御手段は、前記検出手段により撮影指示が検出されたことに応じて、前記待機時間が経過する前に、前記撮影者が前記撮像装置に視線を合わせるように前記撮影者に促すための所定表示を前記表示手段に表示させることを特徴とする請求項１又は請求項２に記載の遠隔操作装置。
【請求項６】
前記禁止手段は、前記検出手段により撮影指示が検出されてから、前記待機時間よりも短い所定時間が経過した以後に、前記表示手段による前記ライブビュー画像及び前記所定表示の表示を禁止することを特徴とする請求項５に記載の遠隔操作装置。
【請求項７】
前記撮像装置は、前記撮影者が前記撮像装置に視線を合わせるように前記撮影者に促すための所定動作を実行可能に構成されており、
前記撮像制御手段は、前記検出手段により撮影指示が検出されたことに応じて、前記待機時間が経過する前に、前記所定動作を実行させるように前記撮像装置を制御することを特徴とする請求項１から請求項６のいずれか１項に記載の遠隔操作装置。
【請求項８】
前記撮像装置は、撮像した画像を当該遠隔操作装置に送信する送信手段を備え、
前記表示制御手段は、前記送信手段により送信された画像を前記ライブビュー画像として表示手段に逐次表示させ、
前記禁止手段は、前記送信手段による画像の送信を禁止することによって、前記表示手段による前記ライブビュー画像の表示を禁止することを特徴とする請求項１から請求項７のいずれか１項に記載の遠隔操作装置。
【請求項９】
撮影者による撮影指示を受け付けるとともに表示手段を有する遠隔操作装置により遠隔操作される撮像装置であって、
撮像手段と、
前記撮像手段に逐次撮像させるように前記撮像手段を制御する撮像制御手段と、
前記撮像制御手段により制御された前記撮像手段による撮像動作に基づく画像を、前記表示手段に表示させるために前記遠隔操作装置に逐次送信する送信手段と、
前記撮影者による撮影指示を前記遠隔操作装置から受信する受信手段と、
前記受信手段により撮影指示が受信されてから所定の待機時間が経過したときに前記撮像手段により撮像された画像を記録する記録手段と、
前記受信手段により撮影指示が受信されたことに応じて、前記待機時間が経過する前に、前記送信手段による前記遠隔操作装置への画像の送信を禁止する禁止手段と、
を備えることを特徴とする撮像装置。
【請求項１０】
撮影者の操作に応じて撮像装置を遠隔操作するための遠隔操作方法であって、
前記撮像装置により撮像されている画像をライブビュー画像として表示手段に逐次表示させる表示制御ステップと、
前記撮影者による撮影指示を検出する検出ステップと、
前記検出ステップにより撮影指示が検出されてから所定の待機時間が経過したときに前記撮像装置により撮像された画像を記録手段に記録させるための制御信号を前記撮像装置に出力する制御ステップと、
前記検出ステップにより撮影指示が検出されたことに応じて、前記待機時間が経過する前に、前記表示手段による前記ライブビュー画像の表示を禁止する禁止ステップと、
を備えることを特徴とする遠隔操作方法。
【請求項１１】
撮影者の操作に応じて撮像装置を遠隔操作するための遠隔操作装置のコンピュータに、
前記撮像装置により撮像されている画像をライブビュー画像として表示手段に逐次表示させる表示制御機能と、
前記撮影者による撮影指示を検出する検出機能と、
前記検出機能により撮影指示が検出されてから所定の待機時間が経過したときに前記撮像装置により撮像された画像を記録手段に記録させるための制御信号を前記撮像装置に出力する制御機能と、
前記検出機能により撮影指示が検出されたことに応じて、前記待機時間が経過する前に、前記表示手段による前記ライブビュー画像の表示を禁止する禁止機能と、
を実現させるためのプログラム。
【発明の詳細な説明】
【技術分野】
【０００１】
本発明は、遠隔操作装置、撮像装置、遠隔操作方法及びプログラムに関するものである。
【背景技術】
【０００２】
近年、撮影者が自身を撮影する自分撮りを行う場合において、カメラをスマートフォン等の遠隔操作装置により遠隔操作することが行われている（特許文献１参照）。
特許文献１に記載されているような遠隔操作装置は、表示画面を備えており、表示画面には、カメラで撮像された画像がライブビュー画像として逐次表示される。
また表示画面には、シャッタオブジェクトが表示されており、このシャッタオブジェクトがフリック操作されると、カメラで撮像された画像が記録される。また、従来の遠隔操作装置では、自分撮りが行われる場合に、ライブビュー画像が常に表示され、撮影者は、このライブビュー画像を見て確認しながら、シャッタオブジェクトのフリック操作を行う。
【先行技術文献】
【特許文献】
【０００３】
【特許文献１】特表２０１６−００６１４９号公報
【発明の概要】
【発明が解決しようとする課題】
【０００４】
しかしながら、従来の遠隔操作装置では、撮影時に、ライブビュー画像が常に表示されるので、撮影者が撮影中にライブビュー画像を見続けることによって、撮影者の視線がカメラに合っていない画像が記録されるおそれがあった。
本発明は、上記事情に鑑みてなされたものであり、撮影時に撮影者が遠隔操作装置に表示されたライブビュー画像を見続けるのを抑制できる遠隔操作装置、撮像装置、遠隔操作方法及びプログラムを提供することを目的とする。
【課題を解決するための手段】
【０００５】
上記目的を達成するために、本発明は、以下の構成によって把握される。
本発明の遠隔操作装置は、撮影者の操作に応じて撮像装置を遠隔操作するための遠隔操作装置であって、前記撮像装置により撮像されている画像をライブビュー画像として表示手段に逐次表示させる表示制御手段と、前記撮影者による撮影指示を検出する検出手段と、前記検出手段により撮影指示が検出されてから所定の待機時間が経過したときに前記撮像装置により撮像された画像を記録手段に記録させるための制御信号を前記撮像装置に出力する撮像制御手段と、前記検出手段により撮影指示が検出されたことに応じて、前記待機時間が経過する前に、前記表示手段による前記ライブビュー画像の表示を禁止する禁止手段と、を備えることを特徴とする。
本発明の撮像装置は、撮影者による撮影指示を受け付けるとともに表示手段を有する遠隔操作装置により遠隔操作される撮像装置であって、撮像手段と、前記撮像手段に逐次撮像させるように前記撮像手段を制御する撮像制御手段と、前記撮像制御手段により制御された前記撮像手段による撮像動作に基づく画像を、前記表示手段に表示させるために前記遠隔操作装置に逐次送信する送信手段と、前記撮影者による撮影指示を前記遠隔操作装置から受信する受信手段と、前記受信手段により撮影指示が受信されてから所定の待機時間が経過したときに前記撮像手段により撮像された画像を記録する記録手段と、前記受信手段により撮影指示が受信されたことに応じて、前記待機時間が経過する前に、前記送信手段による前記遠隔操作装置への画像の送信を禁止する禁止手段と、を備えることを特徴とする。
本発明の遠隔操作方法は、撮影者の操作に応じて撮像装置を遠隔操作するための遠隔操作方法であって、前記撮像装置により撮像されている画像をライブビュー画像として表示手段に逐次表示させる表示制御ステップと、前記撮影者による撮影指示を検出する検出ステップと、前記検出ステップにより撮影指示が検出されてから所定の待機時間が経過したときに前記撮像装置により撮像された画像を記録手段に記録させるための制御信号を前記撮像装置に出力する制御ステップと、前記検出ステップにより撮影指示が検出されたことに応じて、前記待機時間が経過する前に、前記表示手段による前記ライブビュー画像の表示を禁止する禁止ステップと、を備えることを特徴とする。
本発明のプログラムは、撮影者の操作に応じて撮像装置を遠隔操作するための遠隔操作装置のコンピュータに、前記撮像装置により撮像されている画像をライブビュー画像として表示手段に逐次表示させる表示制御機能と、前記撮影者による撮影指示を検出する検出機能と、前記検出機能により撮影指示が検出されてから所定の待機時間が経過したときに前記撮像装置により撮像された画像を記録手段に記録させるための制御信号を前記撮像装置に出力する制御機能と、前記検出機能により撮影指示が検出されたことに応じて、前記待機時間が経過する前に、前記表示手段による前記ライブビュー画像の表示を禁止する禁止機能と、を実現させる。
【発明の効果】
【０００６】
本発明によれば、撮影時に撮影者が遠隔操作装置に表示されたライブビュー画像を見続けるのを抑制できる遠隔操作装置、撮像装置、遠隔操作方法及びプログラムを提供できる。
【図面の簡単な説明】
【０００７】
【図１】遠隔操作装置と撮像装置とを用いた撮影システムの構成を示すブロック図である。
【図２】（ａ）は遠隔操作装置の構成を示すブロック図であり、（ｂ）は撮像装置の構成を示すブロック図である。
【図３】第１実施形態に係る遠隔操作装置の動作を説明するフロー図である。
【図４】第１実施形態に係る撮像装置の動作を説明するフロー図である。
【図５】第２実施形態に係る遠隔操作装置の動作を説明するフロー図である。
【図６】第２実施形態に係る撮像装置の動作を説明するフロー図である。
【図７】第３実施形態に係る撮像装置の構成を示すブロック図である。
【図８】第３実施形態に係る遠隔操作装置の動作を説明するフロー図である。
【図９】第３実施形態に係る撮像装置の動作を説明するフロー図である。
【発明を実施するための形態】
【０００８】
（実施形態）
以下、図面を参照して本発明を実施するための第１の形態（以下、第１実施形態）について詳細に説明する。なお、実施形態の説明の全体を通して同じ要素には同じ番号又は符号を付している。なお、本文中に記載の撮影システム１００を構成する「〜部」は、特許請求の範囲に記載の「〜手段」に対応している。
【０００９】
図１は、遠隔操作装置１０と撮像装置３０とを用いた撮影システム１００の構成を示すブロック図である。図２（ａ）は、遠隔操作装置１０の構成を示すブロック図である。図２（ｂ）は、撮像装置３０の構成を示すブロック図である。
【００１０】
遠隔操作装置１０は、撮影者（ユーザ）の操作に応じて撮像装置３０を遠隔操作するためのものである。
遠隔操作装置１０（リモコン）は、図１に示すように、撮像装置３０（カメラ）との間で無線通信２０（例えば、Ｂｌｕｅｔｏｏｔｈ（登録商標）や、ＷｉＦｉ（登録商標）等の無線ＬＡＮ等）を行うためのコンピュータ、デバイス及びプログラムを備えている。
また、遠隔操作装置１０は、撮像装置３０が撮像した画像を受信してリアルタイムでライブビュー画像として逐次表示する機能と、撮像装置３０の動作を遠隔操作により制御する機能を備えている。
【００１１】
撮像装置３０は、遠隔操作装置１０との間で無線通信２０を行うためのコンピュータ、デバイス及びプログラムを備えており、撮像する機能、撮像した画像を記録（保存）する機能、ライブビュー画像又は撮像した画像を、無線通信２０を介して遠隔操作装置１０に送信する機能を備えている。
【００１２】
遠隔操作装置１０と撮像装置３０とは、着脱可能となっており、一体として使用することも、分離して使用することも可能である。ただし、遠隔操作装置１０は、専用の端末に限らず、例えば、スマートフォンや、タブレット端末等でも代用可能であるが、この場合、分離した状態で使用することになる。以下では、遠隔操作装置１０と撮像装置３０とが分離して距離が離れた状態で使用される場合について説明する。
【００１３】
（遠隔操作装置１０）
詳細には、図２（ａ）に示すように、遠隔操作装置１０は、通信部１１、表示部１２、検出部１３、ＲＯＭ１４、ＲＡＭ１５、制御部１６、計時部１７、禁止部１８、認識部１９を備えている。また、遠隔操作装置１０には、撮影者によって操作されるメカニカルなシャッタボタン（図示せず）が設けられている。このシャッタボタンが操作されると、そのことを表す操作信号が生成される。
【００１４】
通信部１１は、無線通信２０によって、撮像装置３０との間で各種コマンドや画像ファイル等を送受信する。
【００１５】
表示部１２は、液晶表示器や有機ＥＬ（Ｅｌｅｃｔｒｏ  Ｌｕｍｉｎｅｓｃｅｎｃｅ）表示器等であり、特定の機能やアプリケーション等に紐付けられているアイコンや、アプリケーション画面、各種のメニュー画面、ライブビュー画像、計時部１７のタイマーの値等を表示する。また、表示部１２には、シャッタボタン（シャッタオブジェクト（図示せず））が表示され、このシャッタボタンは、撮影者によってタッチ操作可能である。撮影者は、基本的には、表示部１２に逐次表示されたライブビュー画像を確認し、メカニカルなシャッタボタンや表示部１２のシャッタボタンを操作する。
【００１６】
検出部１３は、スイッチやタッチセンサで構成されており、上述したメカニカルなシャッタボタンや表示部１２のシャッタボタンが撮影者により操作されたことを、撮影者による撮影指示として検出する。この場合、メカニカルなシャッタボタンについては、上述した操作信号に基づいて、撮影者による撮影指示が検出され、表示部１２のシャッタボタンについては、検出部１３のタッチセンサにより、表示部１２への指やスタイラス（ペン）等の直接接触、又は、近接が、撮影指示として検出される。また、遠隔操作装置１０には、撮像装置３０から受信したライブビュー画像の表示を指示するためのボタン（図示せず）が設けられており、検出部１３は、撮影者によるこのボタン操作を検出する。
【００１７】
ＲＯＭ１４は、後述する制御部１６により実行されるプログラムや動作等に必要とされる各種パラメータ等を記憶している。
【００１８】
ＲＡＭ１５は、後述する制御部１６がプログラムを実行した際の一時的なデータや、各種アプリケーションプログラム、アプリケーションの実行に必要な各種パラメータ、撮像装置３０から受信した画像ファイル等を記憶する。
【００１９】
制御部１６は、ＣＰＵなどで構成されており、ＲＯＭ１４に記憶されているプログラムを実行することで所定の制御動作を実行する。
また、制御部１６は、撮像装置３０により撮像されている画像をライブビュー画像として表示部１２に逐次表示させる表示制御部１６１と、検出部１３による撮影指示の検出に基づいて撮像装置３０による画像の記録動作を制御するための制御信号を、通信部１１を介して出力する撮像制御部１６２と、を備える。
【００２０】
この制御信号は、撮像装置３０の撮影モードが後述する自分撮りモードに設定されている場合には、検出部１３により撮影指示が検出されてから所定の待機時間Ｔが経過したときに撮像装置３０により撮像された画像を、撮像装置３０の後述する記録部３６に記録させるための信号に設定される。これにより、撮影者による撮影指示の時点から撮像装置３０による撮影動作の時点までに時間差を生じさせることができるので、撮影者の視線が撮影指示の時点で遠隔操作装置１０に表示されたライブビュー画像に向かっていても、撮影者に、遠隔操作装置１０から離れている撮像装置３０の撮像部３３に視線を移動させるための余裕を与えることができる。
また、撮像制御部１６２は、撮影モードが上記の自分撮りモードに設定されている場合には、検出部１３により撮影指示が検出されたことに応じて、上記の待機時間Ｔが経過する前に、所定動作を実行させるように撮像装置３０を制御する。ここで、所定動作は、撮影者が撮像装置３０に視線を合わせるように撮影者に促すための動作であり、撮像装置３０の後述する報知部３９によって行われる。
【００２１】
計時部１７は、ダウンカウント式のタイマーであり、撮影モードが自分撮りモードに設定されている場合に、検出部１３により撮影指示が検出されてから所定の待機時間Ｔを計時するとともに、この待機時間Ｔよりも短い所定時間Ｓを計時する。なお、待機時間Ｔ及び所定時間Ｓは、利用者による遠隔操作装置１０への入力により設定変更が可能となっている。
【００２２】
禁止部１８は、制御部１６と同じＣＰＵなどで構成されており、撮影モードが自分撮りモードに設定されている場合に、検出部１３により撮影指示が検出されたことに応じて、待機時間Ｔが経過する前に、より具体的には所定時間Ｓが経過した以後に、表示部１２によるライブビュー画像の表示を禁止する。これにより、記録部３６への記録用の画像が撮像装置３０により撮像される前に、ライブビュー画像が表示されなくなるので、撮影時に撮影者が遠隔操作装置１０に表示されたライブビュー画像を見続けるのを抑制できる。よって、撮影者の視線が撮像装置３０に合った画像を適切に記録できる。
【００２３】
認識部１９は、制御部１６と同じＣＰＵなどで構成されており、撮影者の顔認識を行う。
また、認識部１９は、遠隔操作装置１０が撮像装置３０から受信したライブビュー画像の中に、登録された顔が認識された場合、撮像装置３０の撮影モードを自分撮りモードに設定するとともに、その旨を表す信号を、通信部１１を介して撮像装置３０に出力する。なお、認識部１９は、遠隔操作装置１０が撮像装置３０から受信したライブビュー画像の中に、登録された顔を認識しない場合、撮像装置３０の撮影モードを、適宜、「自分撮りモード」以外のものに設定するとともに、その旨を表す信号を、通信部１１を介して撮像装置３０に出力する。
なお、例えば、次のような条件を満たす場合に、撮影モードを自分撮りモードに設定してもよい。
（１）利用者に位置センサを持たせ、撮像装置３０と位置センサとの位置関係が所定の関係である（位置センサが撮像部３３の視野に入っている）場合。
（２）利用者の視線が撮像装置３０を向いていない、又は、下を向いている場合。なお、この場合、精度を高めるため、表示部１２に「自分撮りモード」とするか否かの表示があってよい。
（３）利用者が遠隔操作装置１０に「自分撮りモード」であることを入力した場合。
【００２４】
（撮像装置３０）
一方、撮像装置３０は、撮影者による撮影指示を受け付けるとともに、遠隔操作装置１０により遠隔操作されるものである。図２（ｂ）に示すように、撮像装置３０は、通信部３１、操作部３２、撮像部３３、ＲＯＭ３４、ＲＡＭ３５、記録部３６、制御部３７、計時部３８及び報知部３９を備える。
【００２５】
通信部３１は、無線通信２０によって、遠隔操作装置１０との間で各種コマンドや画像ファイル等を送受信する。通信部３１は、ライブビュー画像を前記表示部１２に表示させるために遠隔操作装置１０に逐次送信する送信部３１１と、前記検出部１３により検出された撮影者による撮影指示を遠隔操作装置１０から受信する受信部３１２を有する。
【００２６】
操作部３２は、電源スイッチ、シャッタスイッチ、ズームスイッチ、モードキー、ＳＥＴキー、十字キー等の複数の操作キーを含み、撮影者による操作キーの操作に応じた操作信号を出力する。
【００２７】
撮像部３３は、光学レンズ群からなるレンズブロックと、ＣＣＤや、ＣＭＯＳ等の撮像素子からなり、レンズブロックから入った画像を撮像素子によりデジタル信号に変換して出力する撮像動作を実行する。
【００２８】
ＲＯＭ３４は、後述する制御部３７により実行されるプログラムや動作等に必要とされる各種パラメータ等を記憶している。
【００２９】
ＲＡＭ３５は、撮像部３３によって撮像された画像ファイルを一時記憶するバッファメモリとして使用されるとともに、制御部３７のワーキングメモリとして使用される。
【００３０】
記録部３６は、例えばフラッシュメモリなどで構成され、撮像部３３により撮像された画像ファイル等を保存する。
【００３１】
制御部３７は、ＣＰＵなどで構成されており、ＲＯＭ３４に記憶されているプログラムを実行することで撮像部３３や記録部３６などの動作を制御する。また、制御部３７は、撮像部３３に逐次撮像させるように撮像部３３を制御する撮像制御部３７１を有する。
【００３２】
撮像制御部３７１は、遠隔操作装置１０と撮像装置３０が無線通信２０で通信可能に接続されている場合に、撮像部３３に撮像動作を逐次実行させるとともに、撮像部３３で撮像された撮像画像（ＲＡＷ画像）に基づいてライブビュー画像を生成し、生成したライブビュー画像を、通信部３１を介して遠隔操作装置１０に送信する。
また、撮像制御部３７１は、受信部３１２を介して遠隔操作装置１０の撮像制御部１６２からの前述した制御信号を受信すると、制御信号の受信タイミング（シャッタ操作のタイミング）に基づいて、撮像部３３で撮像された撮像画像（ＲＡＷ画像）を現像し、最終的な撮影画像として記録部３６に保存する。この場合において、撮影モードが後述する自分撮りモードに設定されているときには、制御信号を受信部３１２が受信してから所定の待機時間Ｔが経過したときに（経過したタイミングで）撮像部３３により撮像された撮像画像を、記録する。
【００３３】
計時部３８は、ダウンカウント式のタイマーであり、撮影モードが自分撮りモードに設定されている場合に、遠隔操作装置１０からの制御信号が受信部３１２で受信されるのと同時に計時を開始することによって、この制御信号が受信されてから、すなわち、遠隔操作装置１０の検出部１３により撮影指示が検出されてから所定の待機時間Ｔを計時する。
【００３４】
報知部３９は、例えばＬＥＤランプ等の発光部を有する。
【００３５】
なお、第１実施形態では、撮像装置３０は表示部を備えない例で説明したが、これに限らず、一般的なデジタルカメラのように液晶表示器や有機ＥＬ表示器等からなる表示部を備えてもよい。
【００３６】
このように、遠隔操作装置１０は、撮像装置３０により撮像されている画像をライブビュー画像として表示部１２に逐次表示させる表示制御部１６１と、撮影者による撮影指示を検出する検出部１３と、検出部１３により撮影指示が検出されてから所定の待機時間Ｔが経過したときに撮像装置３０により撮像された画像を記録部３６に記録させるための制御信号を撮像装置３０に出力する撮像制御部１６２と、検出部１３により撮影指示が検出されたことに応じて、待機時間Ｔが経過する前に、表示部１２によるライブビュー画像の表示を禁止する禁止部１８と、を備える。
これにより、記録部３６への記録用の画像が撮像装置３０により撮像される前に、撮影者が注目する対象となるライブビュー画像の表示がなくなるので、撮影時に撮影者が遠隔操作装置１０に表示されたライブビュー画像を見続けるのを抑制できる。
よって、撮影者の意識はライブビュー画像から撮像装置３０に移り、撮影者は撮像装置３０の方向を見ようとする。
したがって、撮像装置３０は、撮影者の視線が撮像装置３０に合った画像を適切に記録できる。
【００３７】
次に、図３及び図４に基づき、第１実施形態に係る撮影システム１００の動作を説明する。
図３は、第１実施形態に係る遠隔操作装置１０の動作を説明するフロー図である。図４は、第１実施形態に係る撮像装置３０の動作を説明するフロー図である。
【００３８】
（第１実施形態に係る遠隔操作装置１０の動作）
第１実施形態に係る遠隔操作装置１０の動作を、図３のフロー図に基づいて説明する。
まず、遠隔操作装置１０において、制御部１６は、検出部１３による検出結果に基づいて、ライブビュー画像の表示指示の有無を判断する。ライブビュー画像の表示指示が無い場合、制御部１６は、初期状態を維持する。ライブビュー画像の表示指示が有る場合、制御部１６は、通信部１１を介して撮像装置３０からライブビュー画像を受信し、表示部１２に表示する（ステップＳ１）。
【００３９】
続いて、制御部１６は、撮影モード検出状態として、認識部１９により、撮影モードが「自分撮りモード」であるか否かを判断する（ステップＳ２）。「自分撮りモード」であると判断されない場合（ステップＳ２でＮＯ）、制御部１６は、その後の撮影モードを、例えば、シャッタ操作がされてから直ぐに撮影をするような、「自分撮りモード」以外の撮影モードに設定するとともに、その旨を表す信号を、通信部１１を介して撮像装置３０に送信するとともに、この撮影モードに基づく制御動作を実行する。「自分撮りモード」であると判断された場合（ステップＳ２でＹＥＳ）、制御部１６は、シャッタ待機状態となるステップＳ３に移行する。
【００４０】
次に、制御部１６は、撮影者による検出部１３の撮影指示（シャッタ操作）を受け付けるシャッタ待機状態として、検出部１３による撮影指示の検出の有無を判断する（ステップＳ３）。検出部１３による撮影指示の検出が無い場合（ステップＳ３でＮＯ）、制御部１６はステップＳ１に戻る。検出部１３による撮影指示の検出があった場合（ステップＳ３でＹＥＳ）、制御部１６は、この検出と同時に、通信部１１を介して撮像装置３０に対して撮影指示となる制御信号を出力し、送信する（ステップＳ４）。
【００４１】
続いて、制御部１６は、計時部１７（カウントダウン式のタイマー）を作動させる（ステップＳ５）とともに、計時部１７により計時されるタイマーの値を、ライブビュー画像とともに、表示部１２に表示させる（ステップＳ６）。これにより、自分撮りモード中、表示部１２には、ライブビュー画像に加えて、撮影者による撮影指示が行われてからの待機時間Ｔのカウントダウンが表示される。
この場合、計時部１７のタイマーの値は、自分撮りの確認の邪魔にならないように、例えば、ライブビュー画像における撮影者の顔が写っている領域以外の領域に重畳して表示される。あるいは、表示部１２の画面上にライブビュー画像が部分的に表示される場合には、表示部１２の画面におけるライブビュー画像が表示されていない領域に表示される。
上記の待機時間Ｔのカウントダウンの表示によって、撮影者に、撮像装置３０に視線を合わせるように促すことができる。この待機時間Ｔのカウントダウンの表示が、本発明における撮影者が撮像装置３０に視線を合わせるように撮影者に促すための所定表示に相当する。
【００４２】
ここで、制御部１６は、計時部１７を参照し、撮影指示が検出されてから所定時間Ｓが経過したか否かを判断する（ステップＳ７）。前述したように、所定時間Ｓは、待機時間Ｔよりも短い時間である。なお、所定時間Ｓは、利用者が設定した待機時間Ｔに応じて、待機時間Ｔよりも短い時間に自動設定されるようにしてもよい。
【００４３】
撮影指示から所定時間Ｓが経過していない場合（ステップＳ７でＮＯ）、制御部１６は、表示部１２によるライブビュー画像の表示及びタイマー表示を継続させる。撮影指示から所定時間Ｓが経過した場合（ステップＳ７でＹＥＳ）、禁止部１８は、表示部１２による表示を禁止する（ステップＳ８）。これにより、表示部１２には、単一の色彩の画面が表示される。その結果、撮影者による撮影指示から、記録用の画像のための撮像部３３による撮像動作が行われるまでの待機時間Ｔの間、表示部１２にライブビュー画像が表示され続けることがないので、撮影者がライブビュー画像を見続けるのを抑制できる。
【００４４】
この場合、禁止部１８による禁止によって、ライブビュー画像及び計時部１７のタイマーの値に加え、他の情報の表示も禁止される。ここでいう情報には、撮影者が注目し易い情報が含まれる。これにより、表示部１２には、ライブビュー画像を含む情報が一切表示されることがないので、撮影者の注目を遠隔操作装置１０の表示部１２に向けないようにでき、撮影者の注目を撮像装置３０に向けることができる。また、表示部１２の消費電力を節約できる。なお、表示部１２が液晶表示器である場合、情報性の低い単純な光源となるバックライトは点灯したままでもよい。
【００４５】
また、禁止部１８は、表示部１２による表示を停止してもよい。ここでいう表示を停止するという意味は、例えば、表示部１２への電源供給を遮断してしまい、表示部１２による表示を完全に停止することを意味する。これにより、撮影者の注目を遠隔操作装置１０の表示部１２に向けないようにでき、撮影者の注目を撮像装置３０に向けることができるという効果に加えて、さらに、表示部１２の消費電力を節約できる。
【００４６】
禁止部１８により表示部１２による表示が禁止された後、制御部１６は、計時部１７を参照し、撮影指示から所定の待機時間Ｔが経過していない場合（ステップＳ９でＮＯ）、表示部１２による表示が禁止された状態を維持する。撮影指示から所定の待機時間Ｔが経過した場合（ステップＳ９でＹＥＳ）、ステップＳ１に戻り、制御部１６は、撮像装置３０からライブビュー画像を受信し、表示部１２に再び表示する（ステップＳ１）。
このように、制御部１６によって、以降、ステップＳ１からステップＳ９が繰り返され、遠隔操作装置１０は動作する。
【００４７】
（第１実施形態に係る撮像装置３０の動作）
次に、第１実施形態に係る撮像装置３０の動作を、図４のフロー図に基づいて説明する。
まず、撮像装置３０において、制御部３７は、撮像部３３による撮像画像に基づいて生成されたライブビュー画像を、通信部３１によって遠隔操作装置１０に送信する（ステップＣ１）。
【００４８】
次に、制御部３７は、遠隔操作装置１０から受信部３１２を介して受信した信号に基づき、撮影モードが「自分撮りモード」であるか否かを判断する（ステップＣ２）。撮影モードが「自分撮りモード」でない場合（ステップＣ２でＮＯ）、制御部３７は、「自分撮りモード」以外の適宜のモードに基づく制御動作を実行する。例えば、制御部３７は、遠隔操作装置１０からの撮影指示に基づく制御信号を受信すると同時に、撮像部３３や記録部３６に撮影動作（画像記録）を行わせる。
【００４９】
撮影モードが「自分撮りモード」である場合（ステップＣ２でＹＥＳ）、遠隔操作装置１０からの撮影指示を含む制御信号の受信がされたか否かを判断する（ステップＣ３）。
撮影指示を含む制御信号の受信がされた場合（ステップＣ３でＹＥＳ）、制御部３７は、計時部３８（カウントダウン式のタイマー）を作動させる。
また、制御部３７は、制御信号の受信に応じて、報知部３９を作動させ、そのＬＥＤランプを点灯させる（ステップＣ４）。すなわち、撮像制御部１６２は、検出部１３により撮影指示が検出されたことに応じて、待機時間Ｔが経過する前に、所定動作を実行させるように撮像装置３０を制御する。これにより、撮影者に対して、撮像装置３０の方向に向くように促すことができる。
【００５０】
続いて、制御部３７は、計時部３８を参照して、遠隔操作装置１０からの制御信号を受信した時点から待機時間Ｔが経過したか否か、すなわち、撮影指示が検出されてから待機時間Ｔが経過したか否かを判断する（ステップＣ５）。撮影指示から待機時間Ｔが経過していない場合（ステップＣ５でＮＯ）、制御部３７は、報知部３９の作動を継続する。
【００５１】
撮影指示から待機時間Ｔが経過した場合（ステップＣ５でＹＥＳ）、制御部３７は、そのタイミングで撮像装置３０により撮像された撮像画像を現像して最終的な画像を生成するとともに、生成した画像を記録部３６に記録させる（ステップＣ６）。
また、制御部３７は、報知部３９の作動を停止する（ステップＣ７）。そして、ステップＣ１に戻り、ライブビュー画像の送信を継続する。
このように、制御部３７によって、以降、ステップＣ１からステップＣ７が繰り返され、撮像装置３０は動作する。
【００５２】
なお、第１実施形態のバリエーションとして、次のバリエーション（ａ）−（ｍ）を適宜、採用してもよい。
（ａ）第１実施形態では、遠隔操作装置１０において、表示部１２によるライブビュー画像の表示の禁止を、撮像装置３０からのライブビュー画像の受信を維持したまま、表示部１２による表示を禁止することによって行っているが、ライブビュー画像の受信を禁止（停止）することによって行ってもよい。
（ｂ）第１実施形態では、表示部１２によるライブビュー画像を含む情報の表示を禁止しているが、ライブビュー画像の表示のみを禁止してもよい。
（ｃ）第１実施形態では、表示部１２による情報（ライブビュー画像）の表示を、撮影指示が検出されてから所定時間Ｓが経過した以後に禁止しているが、撮影指示以後の他の適当なタイミングの以後であって、待機時間Ｔが経過するまでの間において禁止してもよい。例えば、表示部１２による情報（ライブビュー画像）の表示を、撮影指示が検出された以後、待機時間Ｔが経過するまで禁止してもよい。
【００５３】
（ｄ）第１実施形態では、本発明における撮影者が撮像装置３０に視線を合わせるように撮影者に促すための所定表示として、撮影指示からの待機時間Ｔのカウントダウン表示を用いているが、他の適当な表示、例えば「まもなく撮影しますので、撮像装置３０の方向に向いてください」等の文字メッセージの表示を用いてもよい。また、撮影指示からの時間の経過によりステップＣ６による画像の記録動作が近づいてきたときに、所定表示の態様を変化させることによって、撮像装置３０に視線を合わせるように撮影者に強く促してもよい。この場合の「所定表示の態様の変化」には、例えば、表示の色を、記録動作が近づくほど、より目立つ色に変化させたり、記録動作が近づくほど、表示をより大きく変化させたり、待機時間Ｔのカウントダウンの途中から上記の文字メッセージを、タイマーの値と合わせて表示したりすることが含まれる。
（ｅ）第１実施形態では、計時部１７のタイマーの値の表示（撮像装置３０に視線を合わせるように撮影者に促すための所定動作）を、撮影指示が検出されてから所定時間Ｓが経過するまで行っているが、撮影指示以後の他の適当なタイミングの以後であって、待機時間Ｔが経過するまでの間において表示してもよい。
（ｆ）第１実施形態では、撮影指示から待機時間Ｔが経過したときに撮像部３３により撮像された画像を、現像して記録しているが、撮像装置３０に視線検出装置が搭載されている場合には、表示部１２による表示が禁止された後、撮影指示から待機時間Ｔが経過する前であっても、この視線検出装置により撮影者の視線が検出されたときに撮像部３３により撮像された画像を、現像して記録してもよい。
【００５４】
（ｇ）第１実施形態では、遠隔操作装置１０が計時部１７を備えているが、計時部１７を省略し、撮像装置３０の計時部３８のタイマーの値を、送信部３１１により送信させ、遠隔操作装置１０の通信部１１で受信するとともに、受信したタイマーの値に基づいて、撮影指示からの所定時間Ｓの経過の判断（ステップＳ７）と、撮影指示からの待機時間Ｔの経過の判断（ステップＳ８）を行ってもよい。この計時部３８のタイマーの値の送受信は、撮影指示（制御信号の送受信）から待機時間Ｔが経過するまで行われる。
（ｈ）第１実施形態では、撮像装置３０が計時部３８を備えているが、計時部３８を省略し、遠隔操作装置１０の計時部１７のタイマーの値を、通信部１１により送信させ、撮像装置３０の受信部３１２で受信するとともに、受信したタイマーの値に基づいて、撮影指示からの待機時間Ｔの経過の判断（ステップＣ５）を行ってもよい。この計時部１７のタイマーの値の送受信は、撮影指示（制御信号の送受信）から待機時間Ｔが経過するまで行われる。
【００５５】
（ｉ）第１実施形態では、遠隔操作装置１０から撮像装置３０に制御信号を、撮影指示が検出されたタイミングで出力しているが、撮影指示が検出されてから待機時間Ｔが経過したときまでの他の適当なタイミングで、例えば、撮影指示から待機時間Ｔが経過したタイミングで出力してもよい。その場合には、撮影指示が検出されたときに、その旨を表す信号が遠隔操作装置１０から撮像装置３０に出力され、図４のステップＣ３の判断は、この撮影指示が検出された旨の信号を受信したか否の判断に置き換えられる。また、ステップＣ５の判断は、制御信号を受信したか否かの判断に置き換えられる。
（ｊ）第１実施形態では、報知部３９は、ＬＥＤランプ等の発光部を有しているが、これに代えて、又はこれとともに、音を発生するスピーカを有してもよい。
（ｋ）第１実施形態では、報知部３９による所定動作を、撮影指示が検出されてから、待機時間Ｔが経過するまで行っているが、撮影指示以後の他の適当なタイミングの以後であって、待機時間Ｔが経過するまでの間において行ってもよい。
（ｌ）自分撮りモード中に、連続撮影や動画撮影などで撮影された画像を利用してライブビュー画像を生成するようにしてもよく、その場合には、連続撮影や動画撮影などで撮影された画像のうち、待機時間Ｔが経過した時点に対応する画像が記録部３６に記録される。
（ｍ）第１実施形態では、現像された最終的な画像を、撮影指示から待機時間Ｔが経過したタイミングで記録しているが、待機時間Ｔが経過した後の他の適当なタイミングで記録してもよい。
また、これらのバリエーション（ａ）−（ｍ）を適宜、組み合わせて適当してもよいことは、もちろんである。
【００５６】
次に、図５及び図６に基づき、第２実施形態に係る撮影システム１００の動作を説明する。第２実施形態に係る撮影システム１００は、第１実施形態に係る撮影システム１００に比べて、表示部１２によるライブビュー画像の表示を禁止する方法が、撮像装置３０の送信部３１１によるライブビュー画像の送信を禁止（停止）することによる点で異なる。これにより、撮像装置３０から遠隔操作装置１０にライブビュー画像を送信しないことによって表示部１２に表示しないようにできるので、送信に要する電力を節約できる。
図５は、第２実施形態に係る遠隔操作装置１０の動作を説明するフロー図である。図６は、第２実施形態に係る撮像装置３０の動作を説明するフロー図である。
【００５７】
（第２実施形態に係る遠隔操作装置１０の動作）
図５に示すように、第２実施形態に係る遠隔操作装置１０の動作は、第１実施形態に係る遠隔操作装置１０の動作とは一部異なり、撮影指示から所定時間Ｓが経過した場合（ステップＤ７でＹＥＳ）、遠隔操作装置１０の禁止部１８は、撮像装置３０に、ライブビュー画像の送信を停止するための送信停止信号を、通信部１１を介して出力し、送信する（ステップＤ８）。これにより、自分撮りモード中、撮影指示から所定時間Ｓが経過してから、待機時間Ｔが経過するまでの間、送信停止信号が撮像装置３０に送信される。
すなわち、第２実施形態に係る遠隔操作装置１０の動作（図５のフロー図）におけるステップＤ１−Ｄ７及びＤ９は、第１実施形態に係る遠隔操作装置１０の動作（図３のフロー図）におけるステップＳ１−Ｓ７及びＳ９と共通するので、共通する部分は説明を省略する。
なお、ステップＤ８により撮像装置３０からのライブビュー画像の送信が停止されている状態において、表示部１２によるライブビュー画像以外の情報（計時部１７のタイマーの値を含む）の表示を禁止しなくてもよく、あるいは、禁止してもよい。すなわち、この場合の表示部１２の制御を第１実施形態の場合と同様に行ってもよい。
【００５８】
（第２実施形態に係る撮像装置３０の動作）
図６に示すように、第２実施形態に係る撮像装置３０の動作は、第２実施形態に係る撮像装置３０の動作とは一部異なり、図６のステップＥ１−Ｅ４及びＥ７−Ｅ９の実行内容は、第１実施形態に係る図４のステップＣ１−Ｃ４及びＣ５−Ｃ７の実行内容とそれぞれ同じであって、ステップＥ４とＥ７の間にステップＥ５及びＥ６を実行する点が異なっている。このため、以下、これらのステップＥ５及びＥ６の実行内容を中心に説明する。
すなわち、自分撮りモード中（ステップＥ２でＹＥＳ）で、かつ制御部３７が遠隔操作装置１０から制御信号を受信した後（ステップＥ３でＹＥＳ）、報知部３９を作動させると（ステップＥ４）、ステップＥ５において、遠隔操作装置１０から送信停止信号を受信したか否かを判断する。送信停止信号を受信していない場合（ステップＥ５でＮＯ）、ライブビュー画像の送信と報知部３９の作動を継続させる。
送信停止信号を受信した場合（ステップＥ５でＹＥＳ）、ステップＥ６において、遠隔操作装置１０へのライブビュー画像の送信を停止する。このライブビュー画像の送信停止は、撮影指示後に送信停止信号を受信してから待機時間Ｔが経過するまで行われる。
【００５９】
なお、第２実施形態のバリエーションとして、前述した第１実施形態のバリエーション（ａ）−（ｍ）を適宜、それぞれ単独で又は組み合わせて採用してもよい。
【００６０】
次に、図７〜図９に基づき、第３実施形態に係る撮影システム１００の動作を説明する。図７は、第３実施形態に係る撮像装置５０の構成を示すブロック図である。撮像装置５０は、第１実施形態に係る撮像装置３０に比べて、ＣＰＵなどで構成された禁止部６０を備えることが異なっており、それ以外の構成は撮像装置３０と同様である。すなわち、撮像装置５０の通信部５１（送信部５１１及び受信部５１２）、操作部５２、撮像部５３、ＲＯＭ５４、ＲＡＭ５５、記録部５６、制御部５７（撮像制御部５７１）、計時部５８、及び報知部５９は、第１実施形態に係る通信部３１（送信部３１１及び受信部３１２）、操作部３２、撮像部３３、ＲＯＭ３４、ＲＡＭ３５、記録部３６、制御部３７（撮像制御部３７１）、計時部３８、及び報知部３９とそれぞれ同様に構成されているので、その詳細な説明については省略する。
【００６１】
第３実施形態に係る撮影システム１００は、第２実施形態に係る撮影システム１００に比べて、表示部１２によるライブビュー画像の表示を禁止する方法が、撮像装置５０の禁止部６０により送信部６１１によるライブビュー画像の送信を禁止することによる点で異なる。これにより、第２実施形態の場合と同様、ライブビュー画像を、撮像装置５０から遠隔操作装置１０に送信しないことによって表示部１２に表示しないようにできる。また、同じ理由により、撮像装置５０から遠隔操作装置１０への送信に要する電力を節約できるのに加えて、遠隔操作装置１０から撮像装置５０への送信停止信号の送信に要する電力をも節約できる。
図８は、第３実施形態に係る遠隔操作装置１０の動作を説明するフロー図である。図９は、第３実施形態に係る撮像装置５０の動作を説明するフロー図である。
【００６２】
（第３実施形態に係る遠隔操作装置１０の動作）
図８に示すように、第３実施形態に係る遠隔操作装置１０の動作は、第１実施形態に係る遠隔操作装置１０の動作と共通する。
すなわち、第３実施形態に係る遠隔操作装置１０の動作（図８のフロー図）におけるステップＦ１−Ｆ９は、第１実施形態に係る遠隔操作装置１０の動作（図３のフロー図）におけるステップＳ１−Ｓ９と共通するので、共通する部分は説明を省略する。
【００６３】
（第３実施形態に係る撮像装置５０の動作）
図９に示すように、第３実施形態に係る撮像装置５０の動作は、第２実施形態に係る撮像装置３０の動作とは一部異なる。図９のステップＧ１−Ｇ４及びＧ６−Ｇ９の実行内容は、第２実施形態に係る図６のステップＥ１−Ｅ４及びＥ６−Ｅ９の実行内容とそれぞれ同じであって、ステップＧ４とＧ６の間のステップＧ５の実行内容がステップＥ５のそれと異なっている。このため、以下、このステップＧ５の実行内容を中心に説明する。
自分撮りモード中（ステップＧ２でＹＥＳ）、遠隔操作装置１０からの制御信号を受信部３１２が受信した後（ステップＧ３でＹＥＳ）、報知部５９を作動させると（ステップＧ４）、ステップＧ５において、禁止部６０は、計時部５８を参照し、撮影指示から所定時間Ｓが経過したか否かを判断する。所定時間Ｓが経過していない場合（ステップＧ５でＮＯ）、ライブビュー画像の送信と報知部５９の作動を継続させる。
所定時間Ｓが経過した場合（ステップＧ５でＹＥＳ）、遠隔操作装置１０へのライブビュー画像の送信を停止（禁止）する（ステップＧ６）。このライブビュー画像の送信停止は、撮影指示から所定時間Ｓが経過してから、待機時間Ｔが経過するまで行われる。
【００６４】
なお、第３実施形態のバリエーションとして、前述した第１実施形態のバリエーション（ａ）−（ｍ）を適宜、それぞれ単独で又は組み合わせて採用してもよい。
【００６５】
以上、説明した本発明の遠隔操作装置１０によれば、撮影者の操作に応じて撮像装置３０を遠隔操作するための遠隔操作装置１０であって、撮像装置３０により撮像されている画像をライブビュー画像として表示部１２に逐次表示させる表示制御部１６１と、撮影者による撮影指示を検出する検出部１３と、検出部１３により撮影指示が検出されてから所定の待機時間Ｔが経過したときに撮像装置３０により撮像された画像を記録部３６に記録させるための制御信号を撮像装置３０に出力する撮像制御部１６２と、検出部１３により撮影指示が検出されたことに応じて、待機時間Ｔが経過する前に、表示部１２によるライブビュー画像の表示を禁止する禁止部１８と、を備えるので、撮影時に撮影者が遠隔操作装置１０に表示されたライブビュー画像を見続けるのを抑制できる。よって、撮影者の視線が撮像装置３０に合った画像を適切に記録できる。
【００６６】
以上、説明した本発明の撮像装置５０によれば、撮影者による撮影指示を受け付けるとともに表示部１２を有する遠隔操作装置１０により遠隔操作される撮像装置５０であって、撮像部５３と、撮像部５３に逐次撮像させるように撮像部５３を制御する撮像制御部５７１と、撮像制御部５７１により制御された撮像部５３による撮像動作に基づく画像を、表示部１２に表示させるために遠隔操作装置１０に逐次送信する送信部５１１と、撮影者による撮影指示を遠隔操作装置１０から受信する受信部５１２と、受信部５１２により撮影指示が受信されてから所定の待機時間Ｔが経過したときに撮像部５３により撮像された画像を記録する記録部５６と、受信部５１２により撮影指示が受信されたことに応じて、待機時間Ｔが経過する前に、送信部５１１による遠隔操作装置１０への画像の送信を禁止する禁止部６０と、を備えるので、撮影時に撮影者が遠隔操作装置１０に表示されたライブビュー画像を見続けるのを抑制できる。よって、撮影者の視線が撮像装置５０に合った画像を適切に記録できる。また、撮像装置５０から遠隔操作装置１０への送信に要する電力を節約できるのに加えて、遠隔操作装置１０から撮像装置５０への送信停止信号の送信に要する電力をも節約できる。
【００６７】
以上、説明した本発明の遠隔操作方法によれば、撮影者の操作に応じて撮像装置３０を遠隔操作するための遠隔操作方法であって、撮像装置３０により撮像されている画像をライブビュー画像として表示部１２に逐次表示させる表示制御ステップと、撮影者による撮影指示を検出する検出ステップと、検出部１３により撮影指示が検出されてから所定の待機時間Ｔが経過したときに撮像装置３０により撮像された画像を記録部３６に記録させるための制御信号を撮像装置３０に出力する制御ステップと、検出ステップにより撮影指示が検出されたことに応じて、待機時間Ｔが経過する前に、表示部１２によるライブビュー画像の表示を禁止する禁止ステップと、を備えるので、撮影時に撮影者が遠隔操作装置１０に表示されたライブビュー画像を見続けるのを抑制できる。よって、撮影者の視線が撮像装置３０に合った画像を適切に記録できる。
【００６８】
以上、説明した本発明のプログラムによれば、撮影者の操作に応じて撮像装置３０を遠隔操作するための遠隔操作装置１０のコンピュータに、撮像装置３０により撮像されている画像をライブビュー画像として表示部１２に逐次表示させる表示制御機能と、撮影者による撮影指示を検出する検出機能と、検出部１３により撮影指示が検出されてから所定の待機時間Ｔが経過したときに撮像装置３０により撮像された画像を記録部３６に記録させるための制御信号を撮像装置３０に出力する制御機能と、検出機能により撮影指示が検出されたことに応じて、待機時間Ｔが経過する前に、表示部１２によるライブビュー画像の表示を禁止する禁止機能と、を実現させるので、撮影時に撮影者が遠隔操作装置１０に表示されたライブビュー画像を見続けるのを抑制できる。よって、撮影者の視線が撮像装置３０に合った画像を適切に記録できる。
【００６９】
以下に、この出願の願書に最初に添付した特許請求の範囲に記載した発明を付記する。付記に記載した請求項の項番は、この出願の願書に最初に添付した特許請求の範囲のとおりである。
＜請求項１＞
撮影者の操作に応じて撮像装置を遠隔操作するための遠隔操作装置であって、
前記撮像装置により撮像されている画像をライブビュー画像として表示手段に逐次表示させる表示制御手段と、
前記撮影者による撮影指示を検出する検出手段と、
前記検出手段により撮影指示が検出されてから所定の待機時間が経過したときに前記撮像装置により撮像された画像を記録手段に記録させるための制御信号を前記撮像装置に出力する撮像制御手段と、
前記検出手段により撮影指示が検出されたことに応じて、前記待機時間が経過する前に、前記表示手段による前記ライブビュー画像の表示を禁止する禁止手段と、
を備えることを特徴とする遠隔操作装置。
＜請求項２＞
前記禁止手段は、前記検出手段により撮影指示が検出されてから、前記待機時間よりも短い所定時間が経過した以後に、前記表示手段による前記ライブビュー画像の表示を禁止することを特徴とする請求項１に記載の遠隔操作装置。
＜請求項３＞
前記禁止手段は、前記ライブビュー画像に加え、前記表示手段による情報の表示を禁止することを特徴とする請求項１又は請求項２に記載の遠隔操作装置。
＜請求項４＞
前記禁止手段は、前記表示手段による表示を停止することを特徴とする請求項１又は請求項２に記載の遠隔操作装置。
＜請求項５＞
前記表示制御手段は、前記検出手段により撮影指示が検出されたことに応じて、前記待機時間が経過する前に、前記撮影者が前記撮像装置に視線を合わせるように前記撮影者に促すための所定表示を前記表示手段に表示させることを特徴とする請求項１又は請求項２に記載の遠隔操作装置。
＜請求項６＞
前記禁止手段は、前記検出手段により撮影指示が検出されてから、前記待機時間よりも短い所定時間が経過した以後に、前記表示手段による前記ライブビュー画像及び前記所定表示の表示を禁止することを特徴とする請求項５に記載の遠隔操作装置。
＜請求項７＞
前記撮像装置は、前記撮影者が前記撮像装置に視線を合わせるように前記撮影者に促すための所定動作を実行可能に構成されており、
前記撮像制御手段は、前記検出手段により撮影指示が検出されたことに応じて、前記待機時間が経過する前に、前記所定動作を実行させるように前記撮像装置を制御することを特徴とする請求項１から請求項６のいずれか１項に記載の遠隔操作装置。
＜請求項８＞
前記撮像装置は、撮像した画像を当該遠隔操作装置に送信する送信手段を備え、
前記表示制御手段は、前記送信手段により送信された画像を前記ライブビュー画像として表示手段に逐次表示させ、
前記禁止手段は、前記送信手段による画像の送信を禁止することによって、前記表示手段による前記ライブビュー画像の表示を禁止することを特徴とする請求項１から請求項７のいずれか１項に記載の遠隔操作装置。
＜請求項９＞
撮影者による撮影指示を受け付けるとともに表示手段を有する遠隔操作装置により遠隔操作される撮像装置であって、
撮像手段と、
前記撮像手段に逐次撮像させるように前記撮像手段を制御する撮像制御手段と、
前記撮像制御手段により制御された前記撮像手段による撮像動作に基づく画像を、前記表示手段に表示させるために前記遠隔操作装置に逐次送信する送信手段と、
前記撮影者による撮影指示を前記遠隔操作装置から受信する受信手段と、
前記受信手段により撮影指示が受信されてから所定の待機時間が経過したときに前記撮像手段により撮像された画像を記録する記録手段と、
前記受信手段により撮影指示が受信されたことに応じて、前記待機時間が経過する前に、前記送信手段による前記遠隔操作装置への画像の送信を禁止する禁止手段と、
を備えることを特徴とする撮像装置。
＜請求項１０＞
撮影者の操作に応じて撮像装置を遠隔操作するための遠隔操作方法であって、
前記撮像装置により撮像されている画像をライブビュー画像として表示手段に逐次表示させる表示制御ステップと、
前記撮影者による撮影指示を検出する検出ステップと、
前記検出ステップにより撮影指示が検出されてから所定の待機時間が経過したときに前記撮像装置により撮像された画像を記録手段に記録させるための制御信号を前記撮像装置に出力する制御ステップと、
前記検出ステップにより撮影指示が検出されたことに応じて、前記待機時間が経過する前に、前記表示手段による前記ライブビュー画像の表示を禁止する禁止ステップと、
を備えることを特徴とする遠隔操作方法。
＜請求項１１＞
撮影者の操作に応じて撮像装置を遠隔操作するための遠隔操作装置のコンピュータに、
前記撮像装置により撮像されている画像をライブビュー画像として表示手段に逐次表示させる表示制御機能と、
前記撮影者による撮影指示を検出する検出機能と、
前記検出機能により撮影指示が検出されてから所定の待機時間が経過したときに前記撮像装置により撮像された画像を記録手段に記録させるための制御信号を前記撮像装置に出力する制御機能と、
前記検出機能により撮影指示が検出されたことに応じて、前記待機時間が経過する前に、前記表示手段による前記ライブビュー画像の表示を禁止する禁止機能と、
を実現させるためのプログラム。
【符号の説明】
【００７０】
１００  撮影システム
１０    遠隔操作装置
１１    通信部
１２    表示部
１３    検出部
１４    ＲＯＭ
１５    ＲＡＭ
１６    制御部
１７    計時部
１８    禁止部
１９    認識部
２０    無線通信
３０    撮像装置
３１    通信部
３２    操作部
３３    撮像部
３４    ＲＯＭ
３５    ＲＡＭ
３６    記録部
３７    制御部
３８    計時部
３９    報知部
１６１  表示制御部
１６２  撮像制御部
３１１  送信部
３１２  受信部
３７１  撮像制御部
５０    撮像装置
５１    通信部
５２    操作部
５３    撮像部
５４    ＲＯＭ
５５    ＲＡＭ
５６    記録部
５７    制御部
５８    計時部
５９    報知部
６０    禁止部
５１１  送信部
５１２  受信部
５７１  撮像制御部
【図１】
2019118014.tif 000003
【図２】
2019118014.tif 000004
【図３】
2019118014.tif 000005
【図４】
2019118014.tif 000006
【図５】
2019118014.tif 000007
【図６】
2019118014.tif 000008
【図７】
2019118014.tif 000009
【図８】
2019118014.tif 000010
【図９】
2019118014.tif 000011